(57)【要約】【課題】本発明の課題は、落下防止シートを敷設したい場所のサイズに自在に対応ができ、ケーブルラックや足場、キャットウォーク上に簡単に敷設固定できる固定構造物への固定具を有する落下防止シートを提供することにある。【解決手段】ケーブルラックや足場パイプ等の水平に敷設された固定棒状構造物へ簡単に固定できる固定具をシートの一端にのみ有し、自在サイズに対応するために他方の固定のためにピン又はワイヤ、結合具を挿入する複数の挿入穴を有する構成である。【選択図】図１
2006265825.tif 000002
【特許請求の範囲】
【請求項１】
シート地と、水平に敷設された固定棒状構造物への固定のためであって、前記シート地の一端にのみ付設された固定具と、前記シート地を自在なサイズで前記シート地の前記一端以外の部分を固定するための複数の挿入穴とを有することを特徴とする固定構造物への固定具を有する落下防止シート。
【請求項２】
前記挿入穴に挿入する固定のための結合具を有することを特徴とする請求項１記載の固定構造物への固定具を有する落下防止シート。
【請求項３】
前記シート地が透明、又は半透明の素材で構成されていることを特徴とする請求項１又は請求項２記載の固定構造物への固定具を有する落下防止シート。
【請求項４】
前記シート地は、滑り防止材を有することを特徴とすることを特徴とする請求項１から請求項３のいずれか１つに記載の固定構造物への固定具を有する落下防止シート。
【請求項５】
前記シート地に補強用の網を有することを特徴とする請求項１から請求項４のいずれか１つに記載の固定構造物への固定具を有する落下防止シート。
【請求項６】
前記補強用の網は、前記シート地の端辺に対して、斜め格子状に配置したことを特徴とする請求項５記載の固定構造物への固定具を有する落下防止シート。
【請求項７】
前記シート地の上に突起結合具を設けたことを特徴とする請求項１から請求項６のいずれか１つに記載の固定構造物への固定具を有する落下防止シート。
【請求項８】
前記シート地にポケットを設けたことを特徴とする請求項１から請求項７のいずれか１つに記載の固定構造物への固定具を有する落下防止シート。
【請求項９】
前記シート地の周辺や一部に補強ワイヤを設けたことを特徴とする請求項１から請求項８のいずれか１つに記載の固定構造物への固定具を有する落下防止シート。
【請求項１０】
前記固定具が付設された前記シート地の一端と対抗する端に、前記シート地を巻き取るための巻き取り装置と巻き取り用のハンドルを有することを特徴とする請求項１から請求項９のいずれか１つに記載の固定構造物への固定具を有する落下防止シート。
【請求項１１】
前記結合具を収容できる第２のポケットと吊り下げ用の把持金具とのうち、少なくとも１つを前記シート地、又は、前記固定具、又は、収納袋に設けたことを特徴とする請求項１から請求項１０のいずれか１つに記載の固定構造物への固定具を有する落下防止シート。
【発明の詳細な説明】
【技術分野】
【０００１】
本発明は、ケーブルラックや足場パイプ等の水平に敷設された固定棒状構造物へ簡単に固定できる固定具を有するもので、作業場所からの作業者や作業工具等の落下を防止する落下防止シートに関するものである。
【背景技術】
【０００２】
従来、作業場所からの落下防止の提案として、繊維の柔軟なネットか、金属の硬いネット、テント地やブルーシートが用いられてきた。落下防止の提案を先の出願に見ると、以下のようなものが見出すことが出来る。特許文献１は、シート材質に関するもので、軽量化や強靭性を上げるために、積層シートの厚みについて言及しているものである。特許文献２は一対のパイプ部材の間にシートを設け、パイプ部材の両端にフックを設けて、フックにより既設の足場枠材に固定できるようにしたものである。一対のパイプ部材の間隔は、工事現場の足場枠の間隔に合わせ作られることになる。当然シートの間隔も工事現場の足場枠の間隔と同じになり、この場合、色々の間隔の場合には適用できない不都合があった。
特許文献３では、シート材の端部やシート材同士の結合部にワイヤを入れ、このワイヤに係止部材をつけることを提案しているが、これも、シートを張る大きさに自由に対応できない。既製品でなくサイズに対応してワイヤを通すなどは面倒な作業となっている。
一方、簡単で自在にサイズに対応できる例として、ベニヤ板や板材とブルーシートで養生する例を図６に示す。６−Ａに示すのは、６０１がケーブルラックであり、この上には、図示していないが、通常、配線ケーブルが付設されている。ケーブルラック６０１は、更にこの上に適当な間隔を置いて、複数のケーブルラックが重ねられている。６０２は作業者が歩行するキャットウォークと呼ばれる金属製の網状足場である。作業者は、キャットウォーク６０２に乗って、ケーブルラック６０１上のケーブルに作業を行う。この場合、人の足の落下と工具等の落下を防止するために、ベニヤ板６０３を敷設し、その上にブルーシート６０４を敷設して作業を行っている。勿論、作業を行っているケーブルは、ベニヤ板６０３やブルーシート６０４を敷設したケーブルラック６０１より上の段にあるケーブルラックにある。このような事情は、工事用の足場でも同様である。この敷設は簡単であるが、作業場所、一般には高所まで大きいサイズのベニヤ板６０３を持ち上げるのは容易ではない。又、ブルーシートは滑るので、作業者にとって危険である。ベニヤ板６０３とブルーシート６０４を両方固定するのも面倒である。又、平らであるので、工具等が転がり落ちる不都合も発生していた。
【特許文献１】特開平１１−３４８１６２
【特許文献２】特開２００１−３２９６９５
【特許文献３】特開平１１−３２４３３４
【発明の開示】
【発明が解決しようとする課題】
【０００３】
本発明の課題は、以上の従来の案の不都合を克服するもので、落下防止シートを敷設したい場所のサイズに自在に対応ができ、ケーブルラックや足場、キャットウォーク上に簡単に敷設固定できる固定構造物への固定具を有する落下防止シートを提供することにある。
【課題を解決するための手段】
【０００４】
本発明による落下防止シートは、以上のような背景にあって従来の問題点を解決するために提案されたものであり、ケーブルラックや足場パイプ等の水平に敷設された固定棒状構造物へ簡単に固定できる固定具をシートの一端にのみ有し、自在サイズに対応するために他方の固定のためにピン又はワイヤ、結合具を挿入する複数の挿入穴を有することを特徴としている。以下説明する。
【０００５】
請求項１記載の発明は、固定構造物への固定具を有する落下防止シートであって、シート地と、水平に敷設された固定棒状構造物への固定のためであって、前記シート地の一端にのみ付設された固定具と、前記シート地を自在なサイズで前記シート地の前記一端以外の部分を固定するための複数の挿入穴とを有することを特徴とする。これにより、自在なサイズで簡単に取り付け可能となる。
【０００６】
請求項２記載の発明は、請求項１記載の固定構造物への固定具を有する落下防止シートにおいて、前記挿入穴に挿入する固定のための結合具を有することを特徴とする。挿入により簡単に取り付け可能となる。
【０００７】
請求項３記載の発明は、請求項１又は請求項２記載の固定構造物への固定具を有する落下防止シートにおいて、前記シート地が透明、又は半透明の素材で構成されていることを特徴とする。シートの下が見えるので、作業に安心感を与えられる。
【０００８】
請求項４記載の発明は、請求項１から請求項３のいずれか１つに記載の固定構造物への固定具を有する落下防止シートにおいて、前記シート地は、滑り防止材を有することを特徴とすることを特徴とする。これにより作業者のすべり防止になる。
【０００９】
請求項５記載の発明は、請求項１から請求項４のいずれか１つに記載の固定構造物への固定具を有する落下防止シートにおいて、前記シート地に補強用の網を有することを特徴とする。これにより強いシートを得ることができる。
【００１０】
請求項６記載の発明は、請求項５記載の固定構造物への固定具を有する落下防止シートにおいて、前記補強用の網は、前記シート地の端辺に対して、斜め格子状に配置したことを特徴とする。これによりさらに強いシートを得ることができる。
【００１１】
請求項７記載の発明は、請求項１から請求項６のいずれか１つに記載の固定構造物への固定具を有する落下防止シートにおいて、前記シート地の上に突起結合具を設けたことを特徴とする。これにより工具等の落下を防止できる。
【００１２】
請求項８記載の発明は、請求項１から請求項７のいずれか１つに記載の固定構造物への固定具を有する落下防止シートにおいて、前記シート地にポケットを設けたことを特徴とする。これにより工具等を一時、保持することが出来る。
【００１３】
請求項９記載の発明は、請求項１から請求項８のいずれか１つに記載の固定構造物への固定具を有する落下防止シートにおいて、前記シート地の周辺や一部に補強ワイヤを設けたことを特徴とする。これにより、強いシートを得ることができる。
【００１４】
請求項１０記載の発明は、請求項１から請求項９のいずれか１つに記載の固定構造物への固定具を有する落下防止シートにおいて、前記固定具が付設された前記シート地の一端と対抗する端に、前記シート地を巻き取るための巻き取り装置と巻き取り用のハンドルを有することを特徴とする。これにより、シート地を巻き取ることが出来る。
【００１５】
請求項１１記載の発明は、請求項１から請求項１０のいずれか１つに記載の固定構造物への固定具を有する落下防止シートにおいて、前記結合具を収容できる第２のポケットと吊り下げ用の把持金具とのうち、少なくとも１つを前記シート地、又は、前記固定具、又は、収納袋に設けたことを特徴とする。これにより、使用時の利便性が増す。
【発明の効果】
【００１６】
以上の様に構成されているので、本発明の固定構造物への固定具を有する落下防止シートにおいては、シートの一端にのみ付設された固定具を、ケーブルラックや足場パイプ等の水平に敷設された固定棒状構造物に引きかけ、他方の固定は、シート上の適当な位置に設けられ複数の穴にピン、ワイヤ、その他の結合具を挿入することで、簡単に固定でき、サイズ自在に適用できる。又、使用しないときは、畳むか巻き取りにより小さく収容でき、
作業場所への移動も容易で等の大きな効果がある。
【発明を実施するための最良の形態】
【００１７】
発明を実施するための最良の形態として提案するものであって、本発明による固定構造物への固定具を有する落下防止シートは、ケーブルラックや足場パイプ等の水平に敷設された固定棒状構造物へ簡単に固定できる固定具をシートの一端にのみ有し、自在サイズに対応するために他方の固定のためにピン又はワイヤ、結合具を挿入する複数の挿入穴を有するものであり、色々のバリエーションを持っている。以下、説明する。
【００１８】
図１は、本発明による固定構造物への固定具を有する落下防止シート１００であって、１−Ａは、シート全体を示し、１−Ｂと１−Ｃは固定具の先端部を示している。１−Ａでは、シート地１０１は、テント地などの布、化学合成繊維布、網線入り高分子シートなどで形成されている。シート地１０１は、その下にあるものが見えるように半透明、又は透明にすると下が見えるため、作業者は安心感を得ることができる。テント地１０１の上には、適当な場所に挿入穴１０２が複数個設けられている。挿入穴１０２には、図示されていないピン、ワイヤ、その他の結合具を挿入することで、シートをキャットウォークや足場枠に簡単に固定することが出来る。挿入穴１０２は、金属等のリング状の補強材で縁取りすることもできる。シート地１０１の先端には、一端のみに固定具１０３が付設してある。一端にのみ付設してあるので、使用に際しては、先ず、この固定具１０３をケーブルラックや足場パイプ等の水平に敷設された固定棒状構造物に引きかけ、その後、シート地１０１を引っ張って状態で、挿入穴１０２に結合具を挿入することで固定を完了する。固定具１０３の先端の形状は、ケーブルラックのような角型の形状のものにかける場合は、１−Ｂのような角型のカギ形状が都合がよい。又、建築の足場では、足場パイプが丸型なので、フックのような曲線のカギ形状がよい。１０４は、固定具１０３をシート地１０１に付設する場合の補強部であるが、必須のものではない。
【００１９】
図２は、本発明による固定構造物への固定具を有する落下防止シートの各種のバリエーションを示すものである。２−Ａは、シート地１０１が透明、又は半透明の素材を用いた場合である。足場の下が見えた方が安心感があるという作業者に対応したものである。１−Ｂは、シート地１０１の上に滑り防止材２０１を付設したものである。勿論、シート地１０１と滑り防止材２０１は一体であってもよい。滑り防止材２０１としては、ゴム引き、
凹凸、＊＊＊などが使用できる。滑り防止は、高所作業者にとって安全確保のためには、好都合である。２−Ｃは、シート地１０１に、補強用の網が入ったものである。特に網は、シート地１０１の端辺に平行又は直角に配置するより、斜めに格子状に配置する方が、シート地１０１上に乗っかった力が分散するので強度が取れる。網の作成では、網を平面に敷いておいて、例えば、ポリビニル樹脂他の有機樹脂をその上に垂らして、ローラーで伸ばして、網の間を満たすように有機樹脂をシート状にカバーすることが出来る。２−Ｄは、シート地１０１の上に、例えばマジックテープ等の突起結合具２０２を設けたものである。突起結合具２０２には、使用時に必要に応じて、適当な高さのある突起物を貼り付ける。これにより、落下した工具等が、突起により止まり、落下を防止するものである。２−Ｅは、ポケット２０３が付いている。工具等を一時入れておくものである。２−Ｆは、シート地１０１の周辺や一部を補強ワイヤ２０４で補強したものである。
【００２０】
図３は、本発明による固定構造物への固定具を有する落下防止シートを巻き取った、不使用状態を示している。３−Ａの例では、シート地３０１には、持ち上げようにワイヤ等をかける把持金具３０２とピン等の結合具などを収容できるポケットが付けられている。３−Ｂの例では、巻き取った落下防止シートを収容袋３０４に収容したものである。この例では、収容袋に、把持金具３０２とポケット３０３が付いている。
【００２１】
図４は、本発明による固定構造物への固定具を有する落下防止シートの別の実施態様を示す図である。固定具１０３が付設した一端に対する端には、巻き取り装置４０２が付設され、ハンドル４０３を回すことで、シート地４０１を巻き取ることが出来る。
【００２２】
図５は、本発明による固定構造物への固定具を有する落下防止シート１００をケーブルラック５０１とキャットウォーク５０２の上に敷設した例である。敷設においては、ケーブルラック５０１に固定具１０３を引っ掛け、落下防止シート１００を伸ばした後に、挿入穴１０２にピンなどの結合具５０３を挿入して固定する。多少の力が、落下防止シート１００に掛かっても、結合具５０３がキャットウォーク５０２の網穴に掛かっているので、
動くことは無い。５−Ａは、一枚の落下防止シート１００を敷設した例であるが、１−Ｂは、二枚の落下防止シート１００を挿入穴１０２を合わせて連結した使い方を示している。挿入穴に１０２には、結合具５０３を挿入して連結している。勿論、結合具５０３としてワイヤやロープ、針金なども利用できることは言うまでも無い。５−Ａでは、結合具５０３として、ピン以外に登山などでよく使用されるワンタッチのリングも示してある。
【００２３】
【産業上の利用可能性】
【００２４】
以上、説明したように、本発明による固定構造物への固定具を有する落下防止シートは、ケーブルラックや足場パイプ等の水平に敷設された固定棒状構造物に簡単に固定できて、他方は、適当な間隔で配置された挿入穴に結合具をつけることで、自在なサイズの場所に簡単に敷設することができ、作業者と工具などの落下を防止することが出来、特に高所のケーブル保守作業などに使用して好都合である。
【図面の簡単な説明】
【００２５】
【図１】本発明による固定構造物への固定具を有する落下防止シートを示す図である。
【図２】本発明による固定構造物への固定具を有する落下防止シートの各種のバリエーションを示す図である。
【図３】本発明による固定構造物への固定具を有する落下防止シートを巻き取った不使用状態を示す図である。
【図４】本発明による固定構造物への固定具を有する落下防止シートの別の実施態様を示す図である。
【図５】本発明による固定構造物への固定具を有する落下防止シートをケーブルラックとキャットウォークの上に敷設した応用例を示す図である。
【図６】ベニヤ板や板材とブルーシートで養生する従来の実施例を示す図である。
【符号の説明】
【００２６】
１００    落下防止シート
１０１、３０１、４０１    シート地
１０２    挿入穴
１０３    固定具
１０４    補強部
２０１    滑り防止材
２０２    突起結合具
２０３、３０３    ポケット
２０４    補強ワイヤ
３０２    把持金具
３０４    収容袋
４０２    巻き取り装置
４０３    ハンドル
５０１、６０１    ケーブルラック
５０２、６０２    キャットウォーク
５０３    結合具
６０３    ベニヤ板
６０４    ブルーシート
【図１】
2006265825.tif 000003
【図２】
2006265825.tif 000004
【図３】
2006265825.tif 000005
【図４】
2006265825.tif 000006
【図５】
2006265825.tif 000007
【図６】
2006265825.tif 000008